(57)【要約】      （修正有）【課題】投射型表示装置の上向きや下向きの設置時に、ズームレンズの自重落下防止の操作を可能とする構造を提供する。【解決手段】ズームストッパ１４がズームリング１２の外周部に光軸方向に移動可能に、且つ、ストッパバネ１５により突出方向に負勢されて設けられている。ズームストッパ１４をレンズ先端から光軸方向に押し込むことにより、ズームストッパ１４の先端に設けられたローレット形状部１４ｂが、固定鏡筒９に設けられたローレット形状部９ｂと噛みあい、ズームリング１２の回動を防止し、これにより、ズームレンズの自重落下による画角変動の発生を防止する。【選択図】図３
2018004847.tif 000002
【特許請求の範囲】
【請求項１】
レンズ群と、
レンズ群を保持するレンズ枠体と、
レンズ群を保持包含する固定筺体と、
レンズ群を光軸方向に進退制御する回転制御部材と、
回転制御部材を回転させる回転操作部材と、
回転制御部材の光軸中心の回転抑止手段を備えたレンズユニットにおいて、
回転抑止手段は光軸方向に操作することで回転を抑止可能としたことを特徴とするレンズユニットを備えた投射型表示装置。
【請求項２】
回転抑止手段は、回転操作部材に包含されていることを特徴とする請求項１に記載のレンズユニットを備えた投射型表示装置。
【請求項３】
回転抑止手段の操作部は、回転操作部材の操作部に包含されていることを特徴とする請求項１に記載のレンズユニットを備えた投射型表示装置。
【請求項４】
回転制御部材は画角を変倍するための部材であることを特徴とする請求項１に記載のレンズユニットを備えた投射型表示装置。
【請求項５】
回転操作部材の操作部は外周に突出するレバー状を呈していることを特徴とする請求項１に記載のレンズユニットを備えた投射型表示装置。
【発明の詳細な説明】
【技術分野】
【０００１】
本発明は、プロジェクタなど投射レンズを有する投射型画像表示装置に関する。
【背景技術】
【０００２】
近年、プロジェクタは、宣伝やアミューズメントショーなど様々なところで使用されはじめている。今までは、机上に置く据置きか、天井に取り付ける天吊りがほとんどであったが、天井に投影する上向き投射や、地面に投影する下向き投射など、様々な姿勢で使われはじめている。
【０００３】
据置き姿勢の場合、投射レンズは水平状態であり、天吊り姿勢の場合も天地は逆となるが、投射レンズは水平状態となっている。このレンズ水平状態の場合は問題ないのだが、上向きや下向きだと投射レンズは垂直な状態となり、レンズ群が重力に引っ張られて自然に動いてしまう、いわゆる自重落下とゆう現象が発生してしまう。これは、ユーザーが任意の位置にズームを合わせて調整した後に、勝手に画角変動してしまい、合わせたポジションから狂ってしまう現象である。
【０００４】
一般的にレンズの自重落下防止の方法として、特許文献１のような提案がされている。
【先行技術文献】
【特許文献】
【０００５】
【特許文献１】特開２０１０−１６９９２９号公報
【発明の概要】
【発明が解決しようとする課題】
【０００６】
しかしながら、プロジェクタの投射レンズは、外装筺体に納められており、レンズ外周からの固定操作ができないとゆう問題があった。プロジェクタの投射レンズ操作としては、ズームとフォーカス操作がある。これらはレンズ先端に設けられたフォーカスリングとズームレバーにより行うのが一般的である。フォーカスリングとズームレバーは、プロジェクタの外装筺体前方から露出している。
【０００７】
そこで、本発明の目的は、この露出したズームレバーに、ズームポジション固定手段を内包することで、自重落下防止の操作を可能とする構造を提供することにある。
【課題を解決するための手段】
【０００８】
上記の目的を達成するために、本発明に係る投射型表示装置は、
レンズ群と、
レンズ群を保持するレンズ枠体と、
レンズ群を保持包含する固定筺体と、
レンズ群を光軸方向に進退制御する回転制御部材と、
回転制御部材を回転させる回転操作部材と、
回転制御部材の光軸中心の回転抑止手段を備えたレンズユニットにおいて、
回転抑止手段は光軸方向に操作することで回転を抑止可能としたことを特徴とする。
【発明の効果】
【０００９】
本発明に係る投射型表示装置によれば、今まで困難とされたプロジェクタにおいての自重落下防止構造を実現するものである。外装筺体に覆われたレンズのフォーカスやズーム操作同様、前方からの簡易な操作で、ズームやフォーカスの自重落下を防止することができる。
【図面の簡単な説明】
【００１０】
【図１】レンズユニットの断面図
【図２】レンズユニット断面の部分拡大図（解放状態）
【図３】レンズユニット断面の部分拡大図（固定状態）
【図４】レンズユニット外観図（解放状態）
【図５】レンズユニット外観図（固定状態）
【図６】レンズユニットロック機構図
【図７】レンズユニット正面図（一部）
【図８】レンズユニット側面図（一部）
【図９】図７のＡ−Ａ断面図
【図１０】図８のＢ−Ｂ断面図
【発明を実施するための形態】
【００１１】
以下に、本発明の好ましい実施の形態を、添付の図面に基づいて詳細に説明する。
【００１２】
図１は本発明の実施形態にかかわる断面図である。
【００１３】
１は１群で焦点調節を行うためのフォーカス群である。２は２群でズーム群の一部である。３は３群でズーム群の一部である。４は４群でズーム群の一部である。５はフォーカスリングで１群を包含保持するものである。６は２群枠で２の２群を保持している。７は３群枠で３の３群を保持している。
【００１４】
８は４群枠で４の４群を保持している。９は固定鏡筒で５のフォーカスリングとヘリコイドネジで接続保持している。１０はカム環で６の２群枠と７の３群枠と８の４群枠とを光軸方向に進退制御するための部材でカム溝を有している。１１はズームコロで６の２群枠と７の３群枠と８の４群枠とに締結固定されている。
【００１５】
１２はズームリングで１０のカム環を回転させるための操作部材である。１３はズームピンで１２のズームリングに掛る操作力を１０のカム環に伝達するための部材である。１４はズームストッパで１２のズームリングの回転を止めるための部材である。１５はストッパバネで１４のズームストッパが固定状態から解放状態に復元するための復元力を与えるための部材である。１６は解除キーで１４のズームストッパの固定状態から解放状態に移動させるための操作部材である。
【実施例１】
【００１６】
図２から図１０を用いてズームリングの固定状態と解放状態の説明をする。
【００１７】
まず図２はズームリングの解放状態を示す図で、１４のズームストッパは１５のストッパバネにより図左方向に突出している。この状態はズームリングの１２ｃ部と、ズームストッパの１４ｃ部が当節することでこれ以上ズームストッパが図左方向に突出しないように規制している。図３はズームリングの固定状態を表すもので１４のズームストッパは図右側に移動している。またズームリングのレバー部である１２ａ部に内包された状態に維持されている。この状態ではズームストッパに設けられたローレット形状部の１４ｂ部と固定鏡筒に設けられたローレット形状部の９ｂ部とが噛みあい１２のズームリングの回転を規制している。
【００１８】
図４はズームリングの回転規制のない解放状態を示す斜視図で、１４のズームストッパが１２ａのズームレバー部から突出している状態で、ズームリングは回転可能である。対する図５はズーム固定状態を示す図で、１４のズームストッパが１２ａのズームレバー部に入り込んでいる状態で、ズームリングは回転できない状態である。この状態であれば、プロジェクタ本体が上向きや下向きの状態でも６から８のズーム群の重量で１０のカム環が回転してしまうことを抑止できるものである。
【００１９】
また図４と図５からわかるように１４のズームストッパは、レンズ先端にありフォーカスやズーム操作同様にプロジェクタ装置の操作可能箇所に配置されている。また１４のズームストッパはレンズ光軸方向に操作可能でありレンズ外周をプロジェクタの筺体外装で覆うことができる。これによりレンズを保護するためにできるだけ外装筺体内に包含することができ、不意の外力による破壊やズレを防止できるものである。
【００２０】
図６はズームストッパのローレット部である１４ｂ部と固定鏡筒のローレット部である９ｂ部が噛みあっていることを示すものである。また、ズームストッパの解放状態に維持するための１４ｃ部と固定状態に維持するための１４ｄが示されている。いずれも爪形状部か相対する部材に引っ掛るものである。
【００２１】
図７のＡ−Ａ断面を示す図９ではズームストッパは固定状態となっている。これはズームストッパの１４ｄ部が相対する部位に引掛っていることを示しているが、解放キーの１６ａ部が１４ｄを押すと１４のズームストッパは図左方向に移動し図２の解放状態となる。図９において、１４のズームストッパ先端を図左方向から押し込むことで固定状態となり、１６の解放キーを図上下から挟み込むことで図２の解放状態に移行するものである。
【００２２】
図８におけるＢ−Ｂ断面を図１０に示す。解放キーの１６ａ部が、ズームストッパの１４ｄに相対した位置に形成されていることを示す図である。ユーザーが操作する場合は、図１０の左右方向から指で挟みこむことで解放操作を行うことになる。
【００２３】
ズームレバー部にズームリングの回転固定と解放状態を操作する、自重落下防止操作部の例を示すものである。レンズ先端に設けられ、光軸方向に操作することでズーム固定するものである。
【符号の説明】
【００２４】
１  １群、２  ２群、３  ３群、４  ４群、５  フォーカスリング、６  ２群枠、
７  ３群枠、８  ４群枠、９  固定鏡筒、１０  カム環、１１  ズームコロ、
１２  ズームリング、１３  ズームピン、１４  ズームストッパ、１５  ストッパバネ、
１６  解除キー
【図１】
2018004847.tif 000003
【図２】
2018004847.tif 000004
【図３】
2018004847.tif 000005
【図４】
2018004847.tif 000006
【図５】
2018004847.tif 000007
【図６】
2018004847.tif 000008
【図７】
2018004847.tif 000009
【図８】
2018004847.tif 000010
【図９】
2018004847.tif 000011
【図１０】
2018004847.tif 000012